【事件の表示】
　特願２００１−５２１２９１「皮膚健全化剤」拒絶査定不服審判事件〔平成１３年　３月１５日国際公開，ＷＯ０１／１７４９９〕について，次のとおり審決する。
【結　論】
　本件審判の請求は，成り立たない。
【理　由】
１．　手続の経緯
　
　本願は，平成１１年９月７日を国際出願日とする出願であって，拒絶査定に対して平成２３年７月１９日に拒絶査定不服審判が請求されるとともに，同日付けで手続補正がなされたが，その後，当審から平成２５年７月３１日付けで拒絶理由が通知され，それに応答して，同年９月１０日付けで手続補正がなされたものである。
　
２．　本願に係る発明について
　
　本願に係る発明は，平成２５年９月１０日付け手続補正書の特許請求の範囲の請求項１〜２に記載された事項により特定されるものであるところ，そのうち請求項１に係る発明（以下，同項記載の発明を「本願発明」ともいう。）は，次のとおりのものである。
　
「【請求項１】
　式（１）：
　【化１】
（式中、Ｒ１、Ｒ２、Ｒ３は、各々独立して、水素原子、水酸基、置換基を有していてもよい低級アルコキシ基、ホスホリルオキシ基、水酸基で置換されていてもよいアリール基、アミノ基、スルホン酸基、ホスファチジルオキシ基、水酸基若しくはアミノ基で置換されていてもよい低級アルキル基、カルボキシル基、グアニジノ基、又は、グアニジノ基で置換された低級アルキル基を示し；
　Ｒ４、Ｒ５は、各々独立して、水素原子、水酸基、水酸基若しくはアミノ基で置換されていてもよい低級アルキル基若しくはアリール基、又は、カルボキシル基を示し、或いは、Ｒ４とＲ５が一緒になって、隣接する炭素原子と共にカルボニル基を形成し；
　Ｒ６、Ｒ７は、各々独立して、水素原子、水酸基で置換されていてもよい低級アルキル基、低級アルキルカルボニル基、アリール基、又は、アラルキル基を示し、或いは、Ｒ６はＲ２と一緒になって、隣接する原子と共に５員環を形成する置換基を有していてもよいアルキレン基を示し；また、
　式中の窒素原子は、低級アルキル基で四級化されていてもよい）
で示される化合物、それらのイオン及びそれらの製薬学的に許容しうる塩からなる群より選択される一種以上の成分を含有する、皮膚水分保持能改善剤であって、
　式（１）の化合物が、Ｌ−アルギニン及びエタノールアミンからなる群より選択される、皮膚水分保持能改善剤、
ただし、０．２重量％のＬ−アルギニンと０．０２重量％のエタノールアミンとを含む米調製物を含有してなる皮膚の水分保持能改善剤であって、米調製物が、米あるいは米粉砕物に加水し、α−アミラーゼ及びβ−アミラーゼからなる澱粉分解酵素、さらに酸性プロテアーゼ及び酸性カルボキシペプチダーゼからなる蛋白質分解酵素を加え反応させ、反応終了後にアスペルギルス・オリゼ及びサッカロミセス・セルビシエを添加し、糖化、発酵を行うことにより製造される、皮膚の水分保持能改善剤を除く。」
　
３．　引用例
　
　平成２５年７月３１日付け拒絶理由通知書で引用された本願出願日の前に頒布された刊行物である「特開平７−２５２１２９号公報」（以下，「引用例１」という。），「醗酵工学，日本，1978年発行，第56巻，第6号，pp.745-751（「醗」は，原文においては，この文字における「発」を「撥」のつくりに置き換えた文字である。）」（以下，「引用例２」という。）には，それぞれ，次のことが記載されている（以下において下線は当審で付した。）。
　
（１）引用例１
　（１−１）
 「米または発芽させた米を抽出するに当り、その抽出前、抽出と同時または抽出後に酵素分解または
麹
　
　（１−２）
 「【００２６】（２）さらに、本発明品の表皮角質層の健全化効果について、次のとおり検討した。乾燥肌（パネラー５名／各本発明品）の前腕屈部分（４×４ｃｍ2 ）に毎日、朝晩２回、１ケ月間、本発明品および対照として水を塗布してもらった。なお、塗布開始前、予め塗布部分の生体角質層水負荷試験を行っておき、１ケ月間塗布後、再び塗布部分の生体角質層水負荷試験を行い、さらに、塗布中止２週間後、同様の試験を行った。以下に生体角質層水負荷試験の方法を示す。
【００２７】マル１本発明品および水（対照）の塗布部分の被験部位を設定する。
マル２被験部位の角質層水分含有量を測定する。
マル３蒸留水を１滴、被験部位に乗せ、１０秒後に乾いたガーゼで完全に水滴を拭き取る。
マル４拭き取った直後、３０，６０，９０，１２０秒後の角質層水分含有量を測定する。
マル５水分吸水能および水分保持能は、次式に基づいて求めた。
【００２８】
【数１】
【００２９】
【数２】
結果を表２に示した。
【００３０】
【表２】
【００３１】表２の結果より、全ての本発明品において、塗布前と比較して、１ケ月間塗布後では、水分吸水能、
水分保持能
水分保持能
水分保持能
【００３２】この結果より、
本発明品は、従来の保湿剤のように塗布することによって、一時的に水分を保ったり、あるいは一時的なバリアー機能を持たせるというものではなく、表皮角質層が本来担うべき機能を健全化するものである
水分吸水能、保持能を改善し
　
　（１−３）
 「（実施例２６）玄米を粉砕機にかけ、玄米の粉砕物５００ｇを得た。この粉砕物に
麹
４０％エタノール
　
　（１−４）
 「【発明の効果】本発明によれば、塗布することにより、優れた保湿持続性と
水分保持能の増大
　
（２）引用例２
　（２−１）
 「エタノールを溶媒として
麹
エタノールアミン
　
　上記摘示事項（１−１）によれば，引用例１には，米を抽出するにあたり，その抽出前，抽出と同時または抽出後に
麹
　
　以上より，引用例１には，次の発明（以下，「引用発明」ともいう。）が記載されているといえる。
　「玄米に麹を加えたものを４０％エタノールで抽出したものを含有してなる皮膚の水分保持能の改善剤。」
　
４．　対比
　
　本願発明と引用発明とを対比する。
　引用発明の「皮膚の水分保持能の改善剤」は，本願発明の「皮膚水分保持能改善剤」に相当する。
　
　そして，本願発明においては，含有する成分について，「Ｌ−アルギニン及び
エタノールアミン
　しかし，上記摘示事項（２−１）によれば，麹にはエタノールアミンが含まれており，エタノールを溶媒としてこれを抽出することができると言えることから，引用発明における「玄米に麹を加えたものを４０％エタノールで抽出したもの」の中には，エタノールアミンが含まれていると判断するのが妥当である。
　
　なお，引用発明においては，４０％エタノールで抽出を行っているものの，エタノールアミンが水やエタノールによく溶けることは周知であると言えることから（必要であれば，「化学大辞典１　縮刷版　第２２刷，1978年9月10日発行，共立出版株式会社，258頁の“β−アミノエチルアルコール”の項目」，「化学大辞典　第１版　第５刷，1998年6月1日発行，株式会社　東京化学同人，72頁の“アミノエタノール”の項目」を参照），「４０％」というエタノール濃度にかかわらず，引用発明における「玄米に麹を加えたものを４０％エタノールで抽出したもの」の中に，エタノールアミンが含まれていると考えられる。
　
　また，本願発明は，「ただし、０．２重量％のＬ−アルギニンと０．０２重量％のエタノールアミンとを含む米調製物を含有してなる皮膚の水分保持能改善剤であって、米調製物が、米あるいは米粉砕物に加水し、α−アミラーゼ及びβ−アミラーゼからなる澱粉分解酵素、さらに酸性プロテアーゼ及び酸性カルボキシペプチダーゼからなる蛋白質分解酵素を加え反応させ、反応終了後にアスペルギルス・オリゼ及びサッカロミセス・セルビシエを添加し、糖化、発酵を行うことにより製造される、皮膚の水分保持能改善剤を除く。」と特定されるものの，引用発明は，ここで除かれているところの「０．２重量％のＬ−アルギニンと０．０２重量％のエタノールアミンとを含む米調製物を含有してなる皮膚の水分保持能改善剤であって、米調製物が、米あるいは米粉砕物に加水し、α−アミラーゼ及びβ−アミラーゼからなる澱粉分解酵素、さらに酸性プロテアーゼ及び酸性カルボキシペプチダーゼからなる蛋白質分解酵素を加え反応させ、反応終了後にアスペルギルス・オリゼ及びサッカロミセス・セルビシエを添加し、糖化、発酵を行うことにより製造される、皮膚の水分保持能改善剤」に該当しないことから，この特定により，相違点が生じるものではない。
　
　してみると，両発明は，
「　式（１）：
　【化１】
（式中、Ｒ１、Ｒ２、Ｒ３は、各々独立して、水素原子、水酸基、置換基を有していてもよい低級アルコキシ基、ホスホリルオキシ基、水酸基で置換されていてもよいアリール基、アミノ基、スルホン酸基、ホスファチジルオキシ基、水酸基若しくはアミノ基で置換されていてもよい低級アルキル基、カルボキシル基、グアニジノ基、又は、グアニジノ基で置換された低級アルキル基を示し；
　Ｒ４、Ｒ５は、各々独立して、水素原子、水酸基、水酸基若しくはアミノ基で置換されていてもよい低級アルキル基若しくはアリール基、又は、カルボキシル基を示し、或いは、Ｒ４とＲ５が一緒になって、隣接する炭素原子と共にカルボニル基を形成し；
　Ｒ６、Ｒ７は、各々独立して、水素原子、水酸基で置換されていてもよい低級アルキル基、低級アルキルカルボニル基、アリール基、又は、アラルキル基を示し、或いは、Ｒ６はＲ２と一緒になって、隣接する原子と共に５員環を形成する置換基を有していてもよいアルキレン基を示し；また、
　式中の窒素原子は、低級アルキル基で四級化されていてもよい）
で示される化合物、それらのイオン及びそれらの製薬学的に許容しうる塩からなる群より選択される一種以上の成分を含有する、皮膚水分保持能改善剤であって、
　式（１）の化合物が、
エタノールアミン
ただし、０．２重量％のＬ−アルギニンと０．０２重量％のエタノールアミンとを含む米調製物を含有してなる皮膚の水分保持能改善剤であって、米調製物が、米あるいは米粉砕物に加水し、α−アミラーゼ及びβ−アミラーゼからなる澱粉分解酵素、さらに酸性プロテアーゼ及び酸性カルボキシペプチダーゼからなる蛋白質分解酵素を加え反応させ、反応終了後にアスペルギルス・オリゼ及びサッカロミセス・セルビシエを添加し、糖化、発酵を行うことにより製造される、皮膚の水分保持能改善剤を除く。」
である点で一致し，両者の発明特定事項に差異はない。
　よって，本願発明は引用例に記載された発明であり，特許法第２９条第１項第３号の規定に該当し特許を受けることができない。
　
５．　むすび
　
　以上のとおり，本願請求項１に係る発明は，特許法第２９条第１項第３号の規定に該当し特許を受けることができない。
　したがって，その余の請求項について論及するまでもなく，本願は拒絶すべきものである。
　よって，結論のとおり審決する。